(57)【特許請求の範囲】
【請求項１】
画像を表示する画像表示装置であって、
日付および時刻を含む現在日時情報を計時する時計部と、
前記画像表示装置の使用が許可される日時の情報である使用期限情報を記憶する使用期限記憶部と、
所定の使用期限情報に基づいて符号化されたパスワードの入力を受け付けるパスワード受付部と、
前記パスワード受付部が受け付けた当該パスワードの情報から、前記所定の使用期限情報を復号する復号部と、
前記復号部が復号した前記所定の使用期限情報と、前記時計部が計時する前記現在日時情報とを比較する比較部と、
復号した前記所定の使用期限情報が、前記現在日時情報以降の日時であった場合に、前記所定の使用期限情報を前記使用期限記憶部に記憶させる使用期限更新部と、
前記画像表示装置の固有番号を記憶する固有番号記憶部と、
を備え、
前記パスワードは、前記画像表示装置の前記固有番号の情報と、前記所定の使用期限情報に基づいて符号化されており、
前記復号部は、前記パスワード受付部が受け付けた前記パスワードの情報に基づいて、前記所定の使用期限情報と前記固有番号の情報とを復号し、
前記比較部は、復号した前記固有番号と、前記固有番号記憶部が記憶している前記固有番号とが一致した場合に、前記復号部が復号した前記所定の使用期限情報と、前記時計部が計時する前記現在日時情報とを比較することを特徴とする画像表示装置。
【請求項２】
請求項１に記載の画像表示装置であって、
前記画像表示装置に電源が投入されたときに、前記現在日時情報が示す日時が前記使用期限記憶部に記憶されている前記使用期限情報が示す日時を経過している場合に、前記パスワード受付部は、前記パスワードの入力を受け付けることを特徴とする画像表示装置。
【請求項３】
請求項１または２のいずれかに記載の画像表示装置であって、
前記パスワード受付部が、有効な前記パスワードを受け付けられなかった場合に、前記画像表示装置の所定の機能の使用を制限する機能制限部を、さらに備えることを特徴とする画像表示装置。
【請求項４】
請求項３に記載の画像表示装置であって、
前記機能制限部が使用を制限する制限機能を記憶する制限機能記憶部と、
前記画像表示装置に対して所定の操作がなされると、管理者権限モードに移行させるモード制御部と、
前記管理者権限モードにおいて、前記機能制限部が使用を制限する前記制限機能を選択させる制限機能選択部と、
前記制限機能選択部によって選択された前記制限機能を、前記制限機能記憶部に記憶させる制御部と、
をさらに備えることを特徴とする画像表示装置。
【請求項５】
請求項４に記載の画像表示装置であって、
前記パスワード受付部は、前記画像表示装置の前記固有番号の情報、および前記所定の使用期限情報に加えて、前記機能制限部が使用を制限する所定の制限機能の情報に基づいて符号化されたパスワードの入力を受け付けて、
前記復号部は、前記所定の使用期限情報および前記所定の制限機能の情報を復号し、
前記制御部は、前記所定の制限機能を前記制限機能記憶部に記憶させることを特徴とする画像表示装置。
【請求項６】
請求項１乃至４のいずれか一項に記載の画像表示装置と、前記画像表示装置の前記固有番号の情報と、前記所定の使用期限情報とに基づいて符号化を行い、前記パスワードを生成するパスワード生成装置と、を備えたことを特徴とする画像表示システム。
【請求項７】
請求項５に記載の画像表示装置と、前記画像表示装置の前記固有番号の情報と、前記所定の使用期限情報と、前記機能制限部が使用を制限する前記所定の制限機能の情報とに基づいて符号化を行い、前記パスワードを生成するパスワード生成装置と、を備えたことを特徴とする画像表示システム。
【請求項８】
日付および時刻を含む現在日時情報を計時する時計部と、画像表示装置の使用が許可される日時の情報である使用期限情報を記憶する使用期限記憶部と、前記画像表示装置の固有番号を記憶する固有番号記憶部と、を有し、画像を表示する画像表示装置の制御方法であって、
前記画像表示装置の前記固有番号の情報と、所定の使用期限情報とに基づいて符号化されたパスワードの入力を受け付けるパスワード受付ステップと、
前記パスワード受付ステップによって受け付けた当該パスワードの情報から、前記所定の使用期限情報と前記固有番号の情報を復号する復号ステップと、
復号した前記固有番号と、前記固有番号記憶部が記憶している前記固有番号とが一致した場合に、前記復号ステップによって復号された前記所定の使用期限情報と、前記時計部が計時する前記現在日時情報とを比較する比較ステップと、
復号した前記所定の使用期限情報が、前記現在日時情報以降の日時であった場合に、前記所定の使用期限情報を前記使用期限記憶部に記憶させる使用期限更新ステップと、
を備えることを特徴とする画像表示装置の制御方法。
【発明の詳細な説明】
【技術分野】
【０００１】
本発明は、画像表示装置、画像表示システム、および画像表示装置の制御方法に関する。
【背景技術】
【０００２】
従来、予め定められた使用許可時間内に限り、画像の投写を可能とするプロジェクターが知られている（特許文献１）。このようなプロジェクターによれば、貸し出された場合に、使用許可時間の終了後も返却されないまま、他の使用者に使用されることを防ぐことができる。
【０００３】
また、予め設定された所定の時間になると、副画像を主画像に重畳させる投写表示装置が知られている。このような投写表示装置によれば、例えば、投写表示装置（プロジェクター）をレンタルしている場合に、レンタル期限をユーザーに通知することができる（特許文献２）。
【先行技術文献】
【特許文献】
【０００４】
【特許文献１】特開２０１１−１００３７６号公報
【特許文献２】特開２００４−２９７５５７号公報
【発明の概要】
【発明が解決しようとする課題】
【０００５】
特許文献１や特許文献２に記載されているように、プロジェクター等の画像表示装置は、レンタル用途で使用されることが多い。このような態様では、レンタル業者が、レンタル期間を画像表示装置に設定して貸し出していた。このため、レンタル期間を延長したい場合には、画像表示装置をレンタル業者に一旦返却してレンタル期間の再設定を行うか、レンタル業者の担当者が画像表示装置の設置場所に行き、レンタル期間の再設定を行わなければならなかった。このため、レンタル期間の変更を容易に行うことができる画像表示装置が求められていた。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像表示装置は、画像を表示する画像表示装置であって、
日付および時刻を含む現在日時情報を計時する時計部と、前記画像表示装置の使用が許可される日時の情報である使用期限情報を記憶する使用期限記憶部と、所定の使用期限情報に基づいて符号化されたパスワードの入力を受け付けるパスワード受付部と、前記パスワード受付部が受け付けた当該パスワードの情報から、前記所定の使用期限情報を復号する復号部と、前記復号部が復号した前記所定の使用期限情報と、前記時計部が計時する前記現在日時情報とを比較する比較部と、復号した前記所定の使用期限情報が、前記現在日時情報以降の日時であった場合に、前記所定の使用期限情報を前記使用期限記憶部に記憶させる使用期限更新部と、を備えることを特徴とする。
【０００８】
このような画像表示装置によれば、使用期限記憶部は、画像表示装置の使用期限情報を記憶する。パスワード受付部は、所定の使用期限情報に基づいて符号化されたパスワードの入力を受け付ける。復号部は、パスワードの情報に基づいて、所定の使用期限情報を復号する。使用期限更新部は、復号した所定の使用期限情報が現在日時情報以降の日時であった場合に、所定の使用期限情報を使用期限記憶部に記憶させる。これにより、ユーザーがパスワードを入力することによって、画像表示装置の使用期限を変更することができる。
【０００９】
［適用例２］上記適用例に係る画像表示装置において、前記画像表示装置の固有番号を記憶する固有番号記憶部をさらに備え、前記パスワードは、前記画像表示装置の前記固有番号の情報と、前記所定の使用期限情報に基づいて符号化されており、前記復号部は、前記パスワード受付部が受け付けた前記パスワードの情報と、前記固有番号記憶部に記憶されている前記固有番号の情報とに基づいて、前記所定の使用期限情報を復号することを特徴とする。
【００１０】
このような画像表示装置によれば、パスワード受付部は、画像表示装置の固有番号の情報と所定の使用期限情報に基づいて符号化されたパスワードの入力を受け付ける。復号部は、パスワードの情報と固有番号の情報とに基づいて、所定の使用期限情報を復号する。これにより、ユーザーがパスワードを入力することによって、画像表示装置の使用期限を変更することができる。さらに、パスワードは所定の使用期限情報および固有番号の情報に基づいて符号化されているため、パスワードが他のプロジェクターに流用されることを防止できる。
【００１１】
［適用例３］上記適用例に係る画像表示装置において、前記画像表示装置の固有番号を記憶する固有番号記憶部をさらに備え、前記パスワードは、前記画像表示装置の前記固有番号の情報と、前記所定の使用期限情報に基づいて符号化されており、前記復号部は、前記パスワード受付部が受け付けた前記パスワードの情報に基づいて、前記所定の使用期限情報と前記固有番号の情報とを復号し、前記比較部は、復号した前記固有番号と、前記固有番号記憶部が記憶している前記固有番号とが一致した場合に、前記復号部が復号した前記所定の使用期限情報と、前記時計部が計時する前記現在日時情報とを比較することを特徴とする。
【００１２】
このような画像表示装置によれば、パスワード受付部は、画像表示装置の固有番号の情報と所定の使用期限情報に基づいて符号化されたパスワードの入力を受け付ける。復号部は、パスワードの情報に基づいて、所定の使用期限情報と固有番号の情報とを復号する。比較部は、復号した固有番号と、固有番号記憶部が記憶している固有番号とが一致した場合に、復号部が復号した所定の使用期限情報と現在日時情報とを比較する。これにより、復号した固有番号が、固有番号記憶部が記憶している固有番号と一致しない場合には、画像表示装置の使用期限は変更されないため、パスワードが他のプロジェクターに流用されることを防止できる。
【００１３】
［適用例４］上記適用例に係る画像表示装置において、前記画像表示装置に電源が投入されたときに、前記現在日時情報が示す日時が前記使用期限記憶部に記憶されている前記使用期限情報が示す日時を経過している場合に、前記パスワード受付部は、前記パスワードの入力を受け付けることを特徴とする。
【００１４】
このような画像表示装置によれば、画像表示装置に電源が投入されたときに、現在日時情報が使用期限記憶部に記憶されている使用期限情報を経過している場合に、パスワードの入力を受け付ける。これにより、ユーザーは、画像表示装置の起動時に、使用期限の経過を認識することができ、パスワードを入力して使用期限情報を更新することができる。
【００１５】
［適用例５］上記適用例に係る画像表示装置において、前記パスワード受付部が、有効な前記パスワードを受け付けられなかった場合に、前記画像表示装置の所定の機能の使用を制限する機能制限部を、さらに備えることを特徴とする。
【００１６】
このような画像表示装置によれば、有効なパスワードが入力されなかった場合に、画像表示装置の所定の機能の使用を制限する。これにより、ユーザーは、使用期限を経過していることを認識できため、画像表示装置を使用し続けてしまうことを低減することができる。
【００１７】
［適用例６］上記適用例に係る画像表示装置において、前記機能制限部が使用を制限する制限機能を記憶する制限機能記憶部と、前記画像表示装置に対して所定の操作がなされると、管理者権限モードに移行させるモード制御部と、前記管理者権限モードにおいて、前記機能制限部が使用を制限する前記制限機能を選択させる制限機能選択部と、前記制限機能選択部によって選択された前記制限機能を、前記制限機能記憶部に記憶させる制御部と、をさらに備えることを特徴とする。
【００１８】
このような画像表示装置によれば、制限機能選択部は、管理者権限モードにおいて、機能制限部が使用を制限する制限機能を選択させる。制御部は、選択された制限機能を制限機能記憶部に記憶させる。これにより、管理者権限モードにおいて、機能制限部が使用を制限する制限機能を変更することができる。
【００１９】
［適用例７］上記適用例に係る画像表示装置において、前記パスワード受付部は、前記画像表示装置の前記固有番号の情報、および前記所定の使用期限情報に加えて、前記機能制限部が使用を制限する所定の制限機能の情報に基づいて符号化されたパスワードの入力を受け付けて、前記復号部は、前記所定の使用期限情報および前記所定の制限機能の情報を復号し、前記制御部は、前記所定の制限機能を前記制限機能記憶部に記憶させることを特徴とする。
【００２０】
このような画像表示装置によれば、画像表示装置の固有番号の情報と所定の使用期限情報と機能制限部が使用を制限する所定の制限機能の情報とに基づいて符号化されたパスワードの入力を受け付ける。復号部は、所定の使用期限情報および所定の制限機能の情報を復号する。そして、制御部は、所定の制限機能を制限機能記憶部に記憶させる。これにより、パスワードの入力によって、機能制限部が使用を制限する制限機能を変更することができる。
【００２１】
［適用例８］本適用例に係る画像表示システムは、上記適用例に係る画像表示装置と、前記画像表示装置の前記固有番号の情報と、前記所定の使用期限情報とに基づいて符号化を行い、前記パスワードを生成するパスワード生成装置と、を備えたことを特徴とする。
【００２２】
このような画像表示システムによれば、パスワード生成装置によって生成されたパスワードを、ユーザーが画像表示装置に入力することによって、画像表示装置の使用期限を変更することができる。また、パスワードは所定の使用期限情報および固有番号の情報に基づいて符号化されているため、パスワードが他の画像表示装置に流用されることを防止できる。
【００２３】
［適用例９］本適用例に係る画像表示システムは、上記適用例に係る画像表示装置と、前記画像表示装置の前記固有番号の情報と、前記所定の使用期限情報と、前記機能制限部が使用を制限する前記所定の制限機能の情報とに基づいて符号化を行い、前記パスワードを生成するパスワード生成装置と、を備えたことを特徴とする。
【００２４】
このような画像表示システムによれば、パスワード生成装置によって生成されたパスワードを、ユーザーが画像表示装置に入力することによって、画像表示装置の使用期限および制限機能を変更することができる。また、パスワードは所定の使用期限情報と固有番号の情報と所定の制限機能の情報に基づいて符号化されているため、パスワードが他の画像表示装置に流用されることを防止できる。
【００２５】
［適用例１０］本適用例に係る画像表示装置の制御方法は、日付および時刻を含む現在日時情報を計時する時計部と、画像表示装置の使用が許可される日時の情報である使用期限情報を記憶する使用期限記憶部と、前記画像表示装置の固有番号を記憶する固有番号記憶部と、を有し、画像を表示する画像表示装置の制御方法であって、前記画像表示装置の前記固有番号の情報と、所定の使用期限情報とに基づいて符号化されたパスワードの入力を受け付けるパスワード受付ステップと、前記パスワード受付ステップによって受け付けた当該パスワードの情報から、前記所定の使用期限情報を復号する復号ステップと、前記復号ステップによって復号された前記所定の使用期限情報と、前記時計部が計時する前記現在日時情報とを比較する比較ステップと、復号した前記所定の使用期限情報が、前記現在日時情報以降の日時であった場合に、前記所定の使用期限情報を前記使用期限記憶部に記憶させる使用期限更新ステップと、を備えることを特徴とする。
【００２６】
このような画像表示装置の制御方法によれば、ユーザーがパスワードを入力することによって、画像表示装置の使用期限を変更することができる。
【図面の簡単な説明】
【００２７】
【図１】第１の実施形態に係るプロジェクター、およびＰＣの概略構成を示すブロック図。
【図２】使用期限設定メニュー画像の説明図。
【図３】ＰＣがパスワードを生成する際のデータフロー図。
【図４】プロジェクターが起動時に行う処理のフローチャート。
【図５】使用期限経過通知画像の説明図。
【図６】パスワードの復号についてのデータフロー図。
【図７】更新成功画像の説明図。
【図８】第２の実施形態に係るＰＣがパスワードを生成する際のデータフロー図。
【図９】プロジェクターが起動時に行う処理のフローチャート。
【図１０】パスワードの復号についてのデータフロー図。
【発明を実施するための形態】
【００２８】
（第１の実施形態）
以下、第１の実施形態として、入力されたパスワードに基づいて使用期限を更新する画像表示装置としてのプロジェクター、および、パスワードを生成するパーソナルコンピューター（ＰＣ）について説明する。
【００２９】
図１は、第１の実施形態に係るプロジェクター１００、およびＰＣ２００の概略構成を示すブロック図である。なお、プロジェクター１００およびＰＣ２００を含めて、画像表示システムとも呼ぶ。このとき、ＰＣ２００はパスワード生成装置に相当する。
【００３０】
図１に示すように、プロジェクター１００は、画像投写部１０、制御部２０、操作受付部２１、固有番号記憶部としてのシリアル番号記憶部２２、使用制限設定部２３、使用期限記憶部２４、制限機能記憶部２５、時計部２６、画像情報入力部３０、画像処理部３１、ＯＳＤ処理部３２等を備えている。
【００３１】
画像投写部１０は、光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００３２】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００３４】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１００の動作を統括制御する。つまり、制御部２０は、コンピューターとして機能する。
【００３５】
操作受付部２１は、ユーザーの入力操作を受け付けるものであり、ユーザーがプロジェクター１００に対して各種指示を行うための複数の操作キーを備えている。本実施形態の操作受付部２１が備える操作キーとしては、電源のオン・オフを切り換えるための電源キー、入力端子を切り換えるための入力切換キー、各種設定用のメニュー画像を表示させるメニューキー、メニュー画像における項目の選択等に用いられる上下左右の方向キー、選択した項目を確定させるための決定キー、操作の取り消しや上位メニュー画像に戻るために用いられるキャンセルキー、パスワードを入力するための数字キー等がある。
【００３６】
ユーザーが操作受付部２１の各種操作キーを操作すると、操作受付部２１は、この入力操作を受け付けて、ユーザーの操作内容に応じた操作信号を制御部２０に出力する。なお、操作受付部２１として、遠隔操作が可能なリモコン（図示せず）を用いた構成としてもよい。この場合、リモコンは、ユーザーの操作内容に応じた赤外線等の操作信号を発信し、図示しない受信手段がこれを受信して制御部２０に伝達する。
【００３７】
シリアル番号記憶部２２は、不揮発性のメモリーからなり、プロジェクター１００の固有番号であるシリアル番号を記憶する。本実施形態では、シリアル番号は、プロジェクター１００の製造番号とする。シリアル番号は、当該プロジェクター１００の製造時にシリアル番号記憶部２２に書き込まれる。シリアル番号記憶部２２への書き込みおよび読み出しは、制御部２０によって行われる。
【００３８】
使用制限設定部２３は、不揮発性のメモリーからなり、プロジェクター１００の使用制限設定がオンされているか否かを記憶する。使用制限設定とは、プロジェクター１００の使用期限が設定されているか否かを表し、例えば、プロジェクター１００を貸し出すレンタル業者等により設定される。使用制限設定部２３への書き込みおよび読み出しは、制御部２０によって行われる。
【００３９】
使用期限記憶部２４は、不揮発性のメモリーからなり、プロジェクター１００の使用期限の情報を記憶する。本実施形態では、使用期限記憶部２４は、使用期限情報として、年月日および時刻を記憶可能とする。使用期限情報の書き込みおよび読み出しは、制御部２０によって行われる。
【００４０】
制限機能記憶部２５は、不揮発性のメモリーからなり、プロジェクター１００が後述する機能制限状態（一部の機能の使用が制限されている状態）となった際に、制限されるプロジェクター１００の機能（制限機能）を記憶する。プロジェクター１００が管理者権限モードで起動された場合、ユーザーによる入力操作に応じて、制御部２０は、制限機能記憶部２５に使用を制限する制限機能の書き込みを行う。また、プロジェクター１００が通常のモードで起動され、機能制限状態となった場合には、制御部２０は、制限機能記憶部２５に記憶された制限機能を読み出して、制限機能の使用を制限する。
【００４１】
ここで、使用期限を設定するメニュー画像について説明する。
図２は、使用期限設定メニュー画像の説明図である。
プロジェクター１００を管理者権限モードで起動すると、制御部２０は、ＯＳＤ処理部３２に指示を出して、図２に示すような使用期限設定メニュー画像Ｍ１を表示させる。なお、本実施形態では、管理者権限モードで起動させるためには、例えば、特定のキーを押下しながら電源のオン操作を行うこととする。このように管理者権限モードでプロジェクター１００を起動する際の制御部２０が、モード制御部に相当する。
【００４２】
使用期限設定メニュー画像Ｍ１では、「使用制限設定」、「使用期限」、「制限機能」を設定することができる。使用期限設定メニュー画像Ｍ１の上部には、使用制限設定欄Ｍ１１が表示されており、ユーザーは、操作受付部２１を操作することで、使用制限設定のオンまたはオフ切り替えて、使用制限設定部２３に設定することができる。
【００４３】
使用期限設定メニュー画像Ｍ１の中央部には、使用期限欄Ｍ１２が表示されており、ユーザーは、操作受付部２１を操作することで、使用期限の日時を入力し、使用期限記憶部２４に記憶させることができる。
【００４４】
使用期限設定メニュー画像Ｍ１の下部には、制限機能欄Ｍ１３が表示されており、ユーザーは、操作受付部２１を操作することで、機能制限状態となった際に制限するプロジェクター１００の制限機能を選択し、制限機能記憶部２５に記憶させることができる。このように制限機能を選択させるときの操作受付部２１および制御部２０が、制限機能選択部に相当する。本実施形態では、「コンピューターソース」および「メニュー」が制限機能として設定されている状態を表している。このように、制限機能は複数としてもよい。なお、制限機能欄Ｍ１３には、４つの項目が表示されているが、制限可能な機能はこれらに限定するものではなく、他の機能も制限可能としてもよい。
【００４５】
図１に戻り、時計部２６は、カレンダー機能および時計機能を有しており、年月日および時刻を計時する。具体的には、時計部２６は、リアルタイムクロックを有しており、内蔵バッテリー等で計時を行っている。計時する日時の情報は、現在日時情報として制御部２０によって読み出される。
【００４６】
画像情報入力部３０は、複数の入力端子（図示せず）を備えており、これらの入力端子には、ビデオ再生装置やパーソナルコンピューター等、図示しない外部の画像供給装置から各種形式の画像情報が入力される。画像情報入力部３０は、制御部２０の指示に応じて入力された画像情報を選択し、選択された画像情報を画像処理部３１に出力する。
【００４７】
画像処理部３１は、画像情報入力部３０から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３１は、制御部２０の指示に基づいて、変換した画像情報に対して、明るさ、コントラスト、シャープネス、色合い等の画質を調整するための画質調整処理等を行い、処理後の画像情報をＯＳＤ処理部３２に出力する。
【００４８】
ＯＳＤ処理部３２は、制御部２０の指示に基づいて、入力された画像情報に基づく画像（以降、「入力画像」とも呼ぶ。）上に、メニュー画像やメッセージ画像等のＯＳＤ（オンスクリーンディスプレイ）画像を重畳して表示するための処理を行う。ＯＳＤ処理部３２は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３２は、必要なＯＳＤ画像情報をＯＳＤメモリーから読み出し、入力画像上の所定の位置にＯＳＤ画像が重畳されるように、画像処理部３１から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３２は、画像処理部３１から入力される画像情報を、そのまま液晶駆動部１４に出力する。
【００４９】
液晶駆動部１４が、ＯＳＤ処理部３２から入力される画像情報に従って液晶ライトバルブ１２Ｒ，１２Ｇ，１２Ｂを駆動すると、液晶ライトバルブ１２Ｒ，１２Ｇ，１２Ｂによって画像情報に応じた画像光に変調され、この画像光が投写レンズ１３から投写される。
【００５０】
ＰＣ２００は、本実施形態では、パーソナルコンピューターとしている。ＰＣ２００は、パスワード生成プログラム２００ａを有している。レンタル業者等の貸出者が、貸し出すプロジェクター１００のシリアル番号と、使用期限の情報とをＰＣ２００のキーボード等の入力部（図示せず）から入力すると、ＰＣ２００は、シリアル番号と使用期限の情報とに基づいて所定の符号化処理を行ってパスワードＰＷを生成し、ＰＣ２００の表示部（図示せず）に表示する。生成されたパスワードＰＷは、プロジェクター１００を使用するユーザーに通知される。当該ユーザーが、当該パスワードＰＷをプロジェクター１００の操作受付部２１に入力すると、プロジェクター１００の使用期限を変更することできる。
【００５１】
ここで、ＰＣ２００がパスワードＰＷを生成する処理について説明する。
図３は、第１の実施形態に係るＰＣ２００がパスワードＰＷを生成する際のデータフロー図である。
図３に示すように、ＰＣ２００は、使用期限情報Ｄ１１とプロジェクター１００のシリアル番号情報Ｄ１２とを入力し、符号化処理を行う（プロセスＰ１０）。そして、ＰＣ２００は、パスワードＰＷを出力する。
【００５２】
次に、プロジェクター１００の起動時の処理について説明する。
図４は、第１の実施形態に係るプロジェクター１００が起動時に行う処理のフローチャートである。
【００５３】
プロジェクター１００の操作受付部２１に備わる電源キーが押下されると、制御部２０は、使用制限設定部２３の情報を読み出し、使用制限設定がオンになっているか否かを判断する（ステップＳ１０１）。使用制限設定がオンになっていれば（ステップＳ１０１：ＹＥＳ）、制御部２０は、時計部２６の現在日時を読み出し、使用期限記憶部２４に記憶された使用期限を経過しているか否かを判断する（ステップＳ１０２）。
【００５４】
使用期限を経過していれば（ステップＳ１０２：ＹＥＳ）、制御部２０は、ＯＳＤ処理部３２に指示を出して、使用期限経過の通知とパスワード入力を促す画像を表示させる（ステップＳ１０３）。
【００５５】
ここで、使用期限経過の通知とパスワード入力を促す画像について説明する。
図５は、使用期限経過通知画像の説明図である。
図５に示すように、使用期限経過通知画像Ｍ２には、「使用期限が過ぎています。［キャンセル］キー押下で続行しますが、以下の機能が使用できなくなります。」と表示される。そして、使用できなくなる制限機能として、制限機能記憶部２５に記憶されている「コンピューターソース」および「メニュー」が表示されている。
【００５６】
さらに、使用期限経過通知画像Ｍ２の下部には、「使用期限を延長するためには、パスワードを入力してください。」と表示されており、パスワード入力欄Ｍ２１が表示されている。ここで、ユーザーは、ＰＣ２００によって生成されたパスワードＰＷを入力することで、使用期限を延長することができる。
【００５７】
図４に戻り、制御部２０は、操作受付部２１により有効なパスワードが入力されたか否かを判定する（ステップＳ１０４）。具体的には、制御部２０は、入力されたパスワードを復号して、使用期限が現在日時以降の日時となっているかを判断する。このときの操作受付部２１が、パスワード受付部に相当する。
【００５８】
ここで、パスワードの復号と、使用期限と現在日時との比較について説明する。
図６は、パスワードの復号についてのデータフロー図である。
図６に示すように、プロジェクター１００の制御部２０は、パスワードＰＷと、シリアル番号記憶部２２に記憶されているシリアル番号情報Ｄ１２とを入力し、復号処理を行う（プロセスＰ２０）。そして、制御部２０は、使用期限情報Ｄ１１を出力する。このときの制御部２０が、復号部に相当する。
【００５９】
制御部２０は、時計部２６が出力する現在日時情報Ｄ２０と使用期限情報Ｄ１１とを入力し、現在日時と使用期限とを比較する（プロセスＰ２１）。そして、制御部２０は、比較結果を出力する。具体的には、使用期限が現在日時以降の日時であれば、当該使用期限を有効とした比較結果Ｄ２１が出力される。即ち、制御部２０は、パスワードＰＷは有効であると判断する。使用期限が現在日時以前の日時であれば、当該使用期限を無効とした比較結果Ｄ２１が出力される。なお、制御部２０が復号処理を正しく行えなかった場合は、入力されたパスワードＰＷが不正であったと判断する。このときの制御部２０が、比較部に相当する。
【００６０】
図４に戻り、有効なパスワードであれば（ステップＳ１０４：ＹＥＳ）、制御部２０は、使用期限記憶部２４に記憶されている使用期限の情報を、復号した使用期限情報Ｄ１１に変更（更新）する（ステップＳ１０５）。このときの制御部２０が、使用期限更新部に相当する。そして、制御部２０は、ＯＳＤ処理部３２に指示を出して、更新成功画像を表示させる（ステップＳ１０６）。
【００６１】
ここで、更新成功画像について説明する。
図７は、更新成功画像の説明図である。
図７に示すように、更新成功画像Ｍ３には、「お使いのプロジェクターは、以下の日時まで使用できます。」と表示される。さらに、使用期限日時表示欄Ｍ３１が表示される。使用期限日時表示欄Ｍ３１には、使用期限記憶部２４に記憶された使用期限日時が表示される。即ち、更新された使用期限日時が表示される。
【００６２】
図４に戻り、制御部２０は、プロジェクター１００を通常状態とする（ステップＳ１０７）。即ち、機能制限の無い状態とする。そして、制御部２０は、プロジェクター１００の起動処理を行う（ステップＳ１０８）。そして、プロジェクター１００の起動時の処理を終了する。通常状態として起動されたプロジェクター１００は、機能の使用を制限されることなく使用することができる。
【００６３】
有効なパスワードが入力されない場合（ステップＳ１０４：ＮＯ）、制御部２０は、操作受付部２１に備わるキャンセルキーが押下されたか否かを判断する（ステップＳ１０９）。キャンセルキーが押下されている場合（ステップＳ１０９：ＹＥＳ）、制御部２０は、プロジェクター１００を機能制限状態とする（ステップＳ１１０）。即ち、制限機能記憶部２５に記憶された制限機能を使用不可能な状態にする。このときの制御部２０が、機能制限部に相当する。そして、制御部２０は、プロジェクター１００の起動処理を行う（ステップＳ１０８）。そして、プロジェクター１００の起動時の処理を終了する。機能制限状態として起動されたプロジェクター１００は、制限機能が使用不可となっており、一部の機能を使用することができない。また、すべての機能が制限されている場合は、ユーザーは電源オフ以外の操作ができなくなる。
【００６４】
キャンセルキーが押下されていない場合（ステップＳ１０９：ＮＯ）、ステップＳ１０３に移行する。使用期限を経過していない場合（ステップＳ１０２：ＮＯ）、ステップＳ１０７に移行し、通常状態として起動する。また、使用制限設定がオンでない場合（ステップＳ１０１：ＮＯ）、ステップＳ１０７に移行し、通常状態として起動する。
【００６５】
上述した第１の実施形態によれば、以下の効果が得られる。
（１）プロジェクター１００は、使用期限情報Ｄ１１とシリアル番号情報Ｄ１２とに基づいて符号化されたパスワードＰＷの入力を受け付ける。制御部２０は、入力されたパスワードＰＷと、シリアル番号記憶部２２に記憶されているシリアル番号情報Ｄ１２とに基づいて、使用期限情報Ｄ１１を復号する。制御部２０は、復号した使用期限情報Ｄ１１が現在日時情報Ｄ２０以降の日時であった場合に、使用期限情報Ｄ１１を使用期限記憶部２４に記憶させる。これにより、ユーザーがパスワードＰＷを入力することによって、プロジェクター１００の使用期限を変更（更新）することができる。即ち、レンタル用途等でプロジェクター１００に設定された使用期限を、ユーザー自らが延長することができる。よって、使用期限の延長が容易になる。また、使用期限情報Ｄ１１は、時間ではなく時刻（日時）の情報であるため、レンタル業者は貸し出し管理が容易になる。
【００６６】
（２）ＰＣ２００で生成されてプロジェクター１００に入力されるパスワードＰＷは、符号化されているため、ユーザーは、パスワードＰＷから使用期限を認識することはできない。そして、ユーザーが、使用期限を独自に変更してしまうことを回避できる。つまり、レンタル業者が、パスワード生成プログラム２００ａを有するＰＣ２００を用いてパスワードＰＷを生成し、そのパスワードＰＷをユーザーに通知することにより、ユーザーが、パスワードＰＷを自ら生成したり変更したりしてしまうことを回避できる。さらに、パスワードＰＷはシリアル番号情報Ｄ１２に基づいて符号化されているため、他のプロジェクターにパスワードＰＷを流用されることを防止することができる。
【００６７】
（３）プロジェクター１００は、電源が投入された際に、時計部２６が計時する現在日時情報が、使用期限記憶部２４に記憶されている使用期限情報を経過しているか否かを判断し、経過していない場合に、通常状態として起動する。また、現在日時情報が使用期限情報を経過している場合には、使用期限の経過を通知してパスワードＰＷの入力を受け付ける。これにより、プロジェクター１００の起動時に、ユーザーは、プロジェクター１００の使用期限（使用が許可される日時）の経過を認識することができる。そして、使用期限を経過してしまっている場合に、ユーザーは、パスワードＰＷを入力して使用期限情報を更新することができるため、利便性が高い。
【００６８】
（４）プロジェクター１００は、有効なパスワードＰＷが入力されず、キャンセルキーが押下された場合に、制限機能記憶部２５に記憶されている制限機能の使用を制限する。これにより、プロジェクター１００の機能の一部または全てを使用することができなくなり、ユーザーは、不便を感じるため、プロジェクター１００をレンタル業者に返却したり、使用期限を更新するためのパスワードＰＷの発行を要求したりすることを促すことになる。よって、ユーザーが使用期限を経過して、無断でプロジェクター１００を使用し続けてしまうことを低減することが可能となり、有益である。
【００６９】
（５）プロジェクター１００は、管理者権限モードで起動されると、使用期限設定メニュー画像Ｍ１を表示して、管理者（レンタル業者）に制限機能を選択させる。そして、制御部２０は、制限機能を制限機能記憶部２５に記憶させる。これにより、機能制限状態となったときにプロジェクター１００で使用が制限される制限機能を、レンタル業者が変更することができるため、有益である。
【００７０】
（第２の実施形態）
第２の実施形態では、入力されたパスワードに基づいて使用期限および制限機能を更新する画像表示装置としてのプロジェクター３００、および、パスワードを生成するＰＣ４００について説明する。なお、プロジェクター３００およびＰＣ４００を含めて、画像表示システムとも呼ぶ。このとき、パスワード生成プログラム４００ａを有するＰＣ４００はパスワード生成装置に相当する。
【００７１】
第２の実施形態に係るプロジェクター３００の構成およびＰＣ４００の構成は、第１の実施形態のプロジェクター１００およびＰＣ２００と同様（図１参照）である。よって、説明は省略する。ここで、第１の実施形態と同一の構成部位については、同一の番号を使用する。
【００７２】
まず、ＰＣ４００がパスワードを生成する処理について説明する。
図８は、第２の実施形態に係るＰＣ４００がパスワードＰＷ２を生成する際のデータフロー図である。
図８に示すように、ＰＣ４００は、使用期限情報Ｄ３１と、プロジェクター３００のシリアル番号情報Ｄ３２と、機能制限状態において制限させる制限機能情報Ｄ３３とを入力し、符号化処理を行う（プロセスＰ３０）。そして、ＰＣ４００は、パスワードＰＷ２を出力する。
【００７３】
次に、プロジェクター３００の起動時の処理について説明する。
図９は、第２の実施形態に係るプロジェクター３００が起動時に行う処理のフローチャートである。
【００７４】
ステップＳ２０１からステップＳ２０３までは、第１の実施形態の図４に示したフローチャートのステップＳ１０１からステップＳ１０３と同様である。
【００７５】
次に、制御部２０は、操作受付部２１により有効なパスワードが入力されたか否かを判定する（ステップＳ２０４）。具体的には、入力されたパスワードを復号して、使用期限が現在日時以降の日時となっているかを判断する。
【００７６】
ここで、パスワードの復号と、使用期限と現在日時との比較について説明する。
図１０は、第２の実施形態に係るパスワードの復号についてのデータフロー図である。
図１０に示すように、プロジェクター３００の制御部２０は、パスワードＰＷ２とシリアル番号情報Ｄ３２とを入力し、復号処理を行う（プロセスＰ４０）。そして、制御部２０は、使用期限情報Ｄ３１と制限機能情報Ｄ３３とを出力する。
【００７７】
制御部２０は、時計部２６が出力する現在日時情報Ｄ４０と使用期限情報Ｄ３１とを入力し、現在日時と使用期限とを比較する（プロセスＰ４１）。そして、制御部２０は、比較結果を出力する。具体的には、使用期限が現在日時以降の日時であれば、当該使用期限を有効とした比較結果Ｄ４１が出力される。即ち、制御部２０は、パスワードＰＷ２が有効であると判断する。使用期限が現在日時以前の日時であれば、当該使用期限を無効とした比較結果Ｄ４１が出力される。なお、制御部２０が復号処理を正しく行えなかった場合は、入力されたパスワードＰＷ２が不正であったと判断する。
【００７８】
図９に戻り、有効なパスワードであれば（ステップＳ２０４：ＹＥＳ）、制御部２０は、使用期限記憶部２４に記憶されている使用期限の情報を、使用期限情報Ｄ３１に変更（更新）する（ステップＳ２０５）。さらに、制御部２０は、制限機能記憶部２５に記憶されている制限機能の情報を、制限機能情報Ｄ３３に変更する（ステップＳ２０６）。
【００７９】
次のステップＳ２０７からステップＳ２０９までの処理は、第１の実施形態の図４のステップＳ１０６からステップＳ１０８と同様である。さらに、ステップＳ２１０からステップＳ２１１までの処理は、第１の実施形態の図４のステップＳ１０９からステップＳ１１０と同様である。
【００８０】
上述した第２の実施形態によれば、以下の効果が得られる。
プロジェクター３００は、シリアル番号情報Ｄ３２と使用期限情報Ｄ３１と制限機能情報Ｄ３３とに基づいて符号化されたパスワードＰＷ２の入力を受け付ける。復号部は、使用期限情報Ｄ３１および制限機能情報Ｄ３３を復号する。そして、制御部２０は、使用期限情報Ｄ３１を使用期限記憶部２４に記憶させ、制限機能情報Ｄ３３を制限機能記憶部２５に記憶させる。これにより、パスワードＰＷ２によって、使用期限、および、プロジェクター３００が機能制限状態となった際に使用を制限する制限機能を変更することができるため、有益である。
【００８１】
なお、上述した実施形態に限定されず、種々の変更や改良等を加えて実施することが可能である。変形例を以下に述べる。
【００８２】
（変形例１）上記実施形態では、固有番号は、プロジェクター１００，３００のシリアル番号である製造番号としたが、固有番号は製造番号に限定するものではなく、プロジェクター１００，３００に固有の番号であればよい。例えば、ＭＡＣアドレス等としてもよい。
【００８３】
（変形例２）上記実施形態では、プロジェクター１００，３００の起動時に使用期限を経過しているか否かを判断して、パスワード入力を促しているが、起動後の通常状態においても、使用期限を経過しているか否かの判断を行ってもよい。そして、使用期限が経過したら、使用期限経過通知画像Ｍ２を表示して、パスワードの入力を促してもよい。
【００８４】
（変形例３）上記実施形態では、パスワードＰＷとシリアル番号情報Ｄ１２によって復号処理を行い、使用期限情報Ｄ１１を出力しているが、パスワードＰＷからシリアル番号情報Ｄ１２と使用期限情報Ｄ１１を出力してもよい。この場合、プロジェクターは復号されたシリアル番号情報Ｄ１２をシリアル番号記憶部２２に記憶されたシリアル番号情報と比較し、それらが一致した場合に、現在日時と使用期限を比較して比較結果Ｄ２１を出力する。
【００８５】
（変形例４）上記実施形態では、ＰＣ２００，４００は、パーソナルコンピューターとしたが、パーソナルコンピューターに限定するものではない。
【００８６】
（変形例５）上記実施形態では、画像表示装置としてプロジェクター１００，３００を例にして説明しているが、画像表示装置はプロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ、テレビ受信機等に適用することも可能である。
【００８７】
（変形例６）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００８８】
（変形例７）上記実施形態では、プロジェクター１００，３００は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００８９】
１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作受付部、２２…シリアル番号記憶部、２３…使用制限設定部、２４…使用期限記憶部、２５…制限機能記憶部、２６…時計部、３０…画像情報入力部、３１…画像処理部、３２…ＯＳＤ処理部、１００，３００…プロジェクター、２００，４００…ＰＣ、２００ａ，４００ａ…パスワード生成プログラム、ＰＷ，ＰＷ２…パスワード。
【図１】
0005811004.tif 000002
【図２】
0005811004.tif 000003
【図３】
0005811004.tif 000004
【図４】
0005811004.tif 000005
【図５】
0005811004.tif 000006
【図６】
0005811004.tif 000007
【図７】
0005811004.tif 000008
【図８】
0005811004.tif 000009
【図９】
0005811004.tif 000010
【図１０】
0005811004.tif 000011